(57)【要約】【課題】不特定多数の使用者が共有使用する画像処理装置において、画像処理の設定を容易にすること。【解決手段】画像信号が入力される１〜複数の入力ポート１００〜１０２と、入力ポート１００〜１０２からの画像信号の画像形態を特定する画像検出手段１４と、あらかじめ画像形態ごとに用意された画像設定条件である第１の条件を記憶する条件１用記憶手段１２２と、使用者により設定された画像設定条件である第２の条件を画像形態ごとに記憶し、設定の変更時には第２の条件が上書き更新される条件２用記憶手段１２１と、条件２用記憶手段１２１への上書き更新がある場合には第２の条件を選択し、条件２用記憶手段１２１への上書き更新の無い場合には、第１の条件を選択するよう、画像検出手段１４で特定された画像形態に対応する画像設定条件を、条件１用記憶手段１２２および条件２用記憶手段１２１から選択する条件選択手段１２３と、条件選択手段１２３により選択された画像設定条件で画像処理を行う画像処理手段と１５を備えることを特徴とする。【選択図】        図１
2007251821.tif 000002
【特許請求の範囲】
【請求項１】
画像信号が入力される少なくとも１つの入力ポートと、
前記入力ポートからの画像信号の画像形態を特定する画像検出手段と、
あらかじめ画像形態ごとに用意された画像設定条件である第１の条件を記憶する第１の記憶手段と、
使用者により設定された画像設定条件である第２の条件を画像形態ごとに記憶し、設定の変更時には第２の条件が上書き更新される第２の記憶手段と、
第２の記憶手段への上書き更新がある場合には第２の条件を選択し、第２の記憶手段への上書き更新の無い場合には、第１の条件を選択するよう、前記画像検出手段で特定された画像形態に対応する画像設定条件を、前記第１および第２の記憶手段から選択する条件選択手段と、
前記条件選択手段により選択された画像設定条件で画像処理を行う画像処理手段と、
を備えることを特徴とする画像処理装置。
【請求項２】
前記第２の条件は、電源断またはリセット動作を行うことで消去されることを特徴とする請求項１に記載の画像処理装置。
【請求項３】
前記第１の条件は、更新または追加が可能であることを特徴とする請求項１または２に記載の画像処理装置。
【請求項４】
前記画像処理手段は、少なくとも解像度変換を行わないで表示を行うスルーモード、垂直・水平方向に等しい倍率で拡大または縮小を行うことで入力された画像のアスペクト比を維持して表示を行う変倍モード、出力する垂直・水平方向それぞれの画素数に、入力された画像の垂直・水平方向をそれぞれ拡大または縮小して表示を行う全画面モードとの３種の表示方法の切り替えを行うことを特徴とする請求項１〜３のいずれか一つに記載の画像処理装置。
【請求項５】
前記第１および第２の記憶手段に記憶される項目として、画像に付随する音量、音質、定位、使用チャンネル数のうち少なくともいずれか１つを含むことを特徴とする請求項１〜４のいずれか一つに記載の画像処理装置
【請求項６】
入力された画像信号の画像処理を、請求項１〜５いずれか一つに記載の画像処理装置を使用して表示を行うことを特徴とする表示装置。
【請求項７】
画像信号が入力される複数の入力ポートと、
前記複数の入力ポートの切り替えを検出するポート切り替え検出手段と、
あらかじめ入力ポートごとに用意された画像設定条件である第１の条件を記憶する第１の記憶手段と、
使用者により設定された画像設定条件である第２の条件を入力ポートごとに記憶し、設定の変更時には第２の条件が上書き更新される第２の記憶手段と、
第２の記憶手段への上書き更新がある場合には第２の条件を選択し、第２の記憶手段への上書き更新の無い場合には、第１の条件を選択するよう、前記ポート切り替え検出手段で検出された入力ポートに対応する画像設定条件を、前記第１および第２の記憶手段から選択する条件選択手段と、
前記条件選択手段により選択された画像設定条件で画像処理を行う画像処理手段と、
を備えることを特徴とする画像処理装置。
【発明の詳細な説明】
【技術分野】
【０００１】
本発明は、入力された画像信号に対する画像処理の条件を記憶・再現する機能をもつ画像処理装置およびこれを用いた表示装置に関する。
【背景技術】
【０００２】
近年、さまざまな画像のフォーマットが使用されている。例をあげればパーソナルコンピュータに使用される、アナログＲＧＢやＤＶＩによる各種解像度の画像、ビデオ関連でもＮＴＳＣ、Ｓ端子、Ｄ端子等各種信号が使用されている。これら多種の画像信号は、それぞれの解像度を持ち、解像度が単一の表示装置で表示を行うためには画像処理が必要不可欠である。このため、入力された画像信号の形態を特定して、対応する画像処理を行うための条件を選択・実施、また使用者が設定した画像処理条件を入力信号の形態と組み合わせて記憶して、これを呼び出すことで、利便性を確保した映像機器が提案されている。
【０００３】
例えば、特許文献１では、複数の入力画像に対応して画像処理によって使用される調整用データ（画像処理条件）を記憶する機能を持ち、入力された画像信号に対応する調整用データを検索して、対応するものがあれば対応する調整用データを用いて画像処理を行い、対応するものが無ければ新たに調整用データを追加記憶する映像機器が提案されている。従来技術では画像処理の条件が変更される度に新しい調整用データが追加記憶される。この方式では、たとえば個人で使用する機器に対しては好みの画像処理が容易に再現され、利便性が高い映像機器が提供されると考えられる。
【０００４】
【特許文献１】特開平２−２８８６９０号公報
【発明の開示】
【発明が解決しようとする課題】
【０００５】
しかしながら、オフィス、会議室等の不特定多数が共用する場合については、使用者によって必要な条件が異なる可能性が高く、前の使用者が設定した画像処理が必ずしも最適なものではない場合が想定される。
【０００６】
具体的には、従来技術では、不特定多数の使用者が使用する際も、使用者が接続した入力画像信号に対応した調整用データが記憶されていた場合、記憶されていた調整用データが採用される。使用者は不特定多数であるため、多くの場合、同じ入力画像信号に対しても最適な調整用データは使用者により異なることが予想され、必ずしも記憶されている調整用データが最適とは限らない。
【０００７】
また、従来技術では、同じ入力画像信号に対して、異なる使用者がそれぞれ必要に応じて変更した調整用データが変更のたびに更新されて装置内に記憶される。その調整用データが使用者の希望するものとは異なる場合、再度調整が必要となるが、記憶されている調整データは、その都度内容が異なる可能性が高く、毎回異なる調整用データから希望する調整用データに変更することは大変煩雑であり、誤設定される可能性も高い。
【０００８】
本発明は、上記に鑑みてなされたものであって、不特定多数の使用者が共有使用する画像処理装置およびそれを用いた表示装置において、画像処理条件の設定を容易にすることを目的としている。
【課題を解決するための手段】
【０００９】
上述した課題を解決し、目的を達成するために、請求項１にかかる発明は、画像信号が入力される少なくとも１つの入力ポートと、前記入力ポートからの画像信号の画像形態を特定する画像検出手段と、あらかじめ画像形態ごとに用意された画像設定条件である第１の条件を記憶する第１の記憶手段と、使用者により設定された画像設定条件である第２の条件を画像形態ごとに記憶し、設定の変更時には第２の条件が上書き更新される第２の記憶手段と、第２の記憶手段への上書き更新がある場合には第２の条件を選択し、第２の記憶手段への上書き更新の無い場合には、第１の条件を選択するよう、前記画像検出手段で特定された画像形態に対応する画像設定条件を、前記第１および第２の記憶手段から選択する条件選択手段と、前記条件選択手段により選択された画像設定条件で画像処理を行う画像処理手段とを備えることを特徴とする。
【００１０】
請求項２にかかる発明は、前記第２の条件は、電源断またはリセット動作を行うことで消去されることを特徴とする。
【００１１】
請求項３にかかる発明は、前記第１の条件は、更新または追加が可能であることを特徴とする。
【００１２】
請求項４にかかる発明は、前記画像処理手段は、少なくとも解像度変換を行わないで表示を行うスルーモード、垂直・水平方向に等しい倍率で拡大または縮小を行うことで入力された画像のアスペクト比を維持して表示を行う変倍モード、出力する垂直・水平方向それぞれの画素数に、入力された画像の垂直・水平方向をそれぞれ拡大または縮小して表示を行う全画面モードとの３種の表示方法の切り替えを行うことを特徴とする。
【００１３】
請求項５にかかる発明は、前記第１および第２の記憶手段に記憶される項目として、画像に付随する音量、音質、定位、使用チャンネル数のうち少なくともいずれか１つを含むことを特徴とする。
【００１４】
請求項６にかかる発明は、入力された画像信号の画像処理を、請求項１〜５いずれか一つに記載の画像処理装置を使用して表示を行うことを特徴とする表示装置である。
【００１５】
請求項７にかかる発明は、画像信号が入力される複数の入力ポートと、前記複数の入力ポートの切り替えを検出するポート切り替え検出手段と、あらかじめ入力ポートごとに用意された画像設定条件である第１の条件を記憶する第１の記憶手段と、使用者により設定された画像設定条件である第２の条件を入力ポートごとに記憶し、設定の変更時には第２の条件が上書き更新される第２の記憶手段と、第２の記憶手段への上書き更新がある場合には第２の条件を選択し、第２の記憶手段への上書き更新の無い場合には、第１の条件を選択するよう、前記ポート切り替え検出手段で検出された入力ポートに対応する画像設定条件を、前記第１および第２の記憶手段から選択する条件選択手段と、前記条件選択手段により選択された画像設定条件で画像処理を行う画像処理手段とを備えることを特徴とする。
【発明の効果】
【００１６】
請求項１にかかる発明によれば、第２の記憶手段への上書き更新がある場合には第２の条件を選択し、第２の記憶手段への上書き更新の無い場合には、第１の条件を選択するよう、前記画像検出手段で特定された画像形態に対応する画像設定条件を、前記第１および第２の記憶手段から選択するようにしているので、利用者の設定による第２の条件が更新されているときに選択するようにしているので、利便性が向上するという効果を奏する。さらに、デフォルトでは、あらかじめ画像形態ごとに用意された画像設定条件である第１の条件が選択されることになり、初期に常に同じ画像処理条件が設定されることから、画像処理条件を再設定する作業量が低減され、利便性が向上するという効果も奏する。また、第２の記憶手段へは画像形態ごとに設定条件を上書きしていくので、頻度や時間、プログラム等で関連付けられた複数の画像処理条件を保持する従来例と比較して必要な記憶容量が少ないという効果を奏する。
【００１７】
請求項２にかかる発明によれば、電源の断またはリセット動作で、記憶された第２の条件を消去しているので、電源の投入時、電源の再投入時、リセット後には、あらかじめ記憶されている第１の条件を使用して画像処理を行うことで、初期に常に同じ画像処理条件が設定されることから、使用者が必要な画像処理の条件に設定する作業が簡便となるという効果を奏する。さらに、第２の条件を設定された場合に容易に検知することが可能となる。
【００１８】
請求項３にかかる発明によれば、第１の条件を外部から変更・追加可能とすることで、新規仕様への対応ができ、また継続使用の結果、より使用頻度の高い設定にする等のより望ましい条件への変更が可能となるという効果を奏する。
【００１９】
請求項４にかかる発明によれば、スルーモード、変倍モード、全画面モードの少なくとも３つのモードから選択設定する機能を設定することで、画像処理手段が想定するアスペクト比と入力された画像のアスペクト比が異なる場合においても、モード選択により解像度設定を容易に行うことができるという効果を奏する。
【００２０】
請求項５にかかる発明によれば、画像処理の設定と同時に画像に付随する音に関して同時に設定を行うことができることで、使用者の設定に対する作業量が低減され、利便性を向上させることができるという効果を奏する。
【００２１】
請求項６にかかる発明によれば、入力された画像信号の画像処理に対する調整作業を簡便化した画像処理装置から得られる画像情報を用いることで、画像処理に対する調整作業の容易な表示装置を提供することができるという効果を奏する。
【００２２】
請求項７にかかる発明によれば、第２の記憶手段への上書き更新がある場合には第２の条件を選択し、第２の記憶手段への上書き更新の無い場合には、第１の条件を選択するよう、ポート切り替え検出手段で検出された入力ポートに対応する画像設定条件を、第１および第２の記憶手段から選択するようにしているので、利用者の設定による第２の条件が更新されているときに選択するようにしているので、利便性が向上するという効果を奏する。さらに、デフォルトでは、あらかじめ入力ポートごとに用意された画像設定条件である第１の条件が選択されることになり、初期に常に同じ画像処理条件が設定されることから、画像処理条件を再設定する作業量が低減され、利便性が向上するという効果も奏する。また、第２の記憶手段へは設定条件を上書きしていくので、頻度や時間、プログラム等で関連付けられた複数の画像処理条件を保持する従来例と比較して必要な記憶容量が少ないという効果を奏する。
【発明を実施するための最良の形態】
【００２３】
以下に添付図面を参照して、この発明にかかる画像処理装置およびこれを用いた表示装置の最良な実施の形態を詳細に説明する。
【００２４】
（第１の実施の形態）
図１は、本発明の第１の実施の形態にかかる画像処理装置１およびこれを用いた表示装置２の構成を示すブロック図である。ここでは一例として３つの入力ポートを持つ場合を示す。
【００２５】
入力ポート１０は、３つの第１入力ポート１００、第２入力ポート１０１、第３入力ポート１０２を有している。この場合、各入力ポート１００〜１０２には、任意の画像形態（解像度、走査線数、１走査線内の有効画素数、垂直・水平同期信号の条件などが異なる画像）の画像信号がそれぞれ入力されるものとして説明する。各入力ポート１００〜１０２に入力された画像信号（以下、入力画像信号と示す）のうち、表示を行う入力画像信号を画像選択手段（入力ポート選択手段）１１で選択する。この画像選択手段１１としてはマルチプレクサやセレクタ等を使用することができる。一例を示せば、スイッチ等外部入力１３からの入力を元に、マルチプレクサを使用して、３つの入力ポート１００〜１０２のうちから１つを選択して画像処理手段１５に入力する。
【００２６】
スイッチ等外部入力１３は入力ポート１０の選択を行うために画像選択手段１１に接続され、また画像処理での設定を行うため画像処理手段１５に接続される。また、スイッチ等外部入力１３を用いて後述する条件２用記憶手段１２１の記憶内容の設定を行う。なお、ここではスイッチ等外部入力１３を使用しているが、スイッチ等外部入力１３の代わりに外部リモコン（ＩＲ,無線等）の受信部および受信部からの入力を認識して対応した信号を出力する機能をもつリモコン受信手段を設けてもよい。この場合、使用者がリモコン操作で入力ポートの切替えを行う。
【００２７】
画像選択手段１１で選択された入力画像信号は、画像検出手段１４により、例えば解像度、走査線数、１走査線内の有効画素数、垂直・水平同期信号の条件（ポーチ、同期信号の期間等)などの検出により、画像の形態が特定される。画像の形態の特定結果は、記憶手段１２、画像処理手段１５へ入力される。
【００２８】
この場合、記憶手段１２は、あらかじめ画像形態ごとに用意された画像設定条件である第１の条件（条件１）を記憶する条件１用記憶手段１２２（１２２ａ〜１２２ｃ）と、使用者により任意に設定された画像設定条件である第２の条件（条件２）を画像形態毎に記憶する条件２用記憶手段１２１（１２１ａ〜１２２ｃ）と、これら条件１用記憶手段１２２ａ〜１２２ｃおよび条件２用記憶手段１２１ａ〜１２２ｃに記憶された画像設定条件を選択する条件選択手段１２３とを備えている。
【００２９】
記憶手段１２の条件選択手段１２３は、画像検出手段１４から入力された検出結果、すなわち画像形態の特定結果および後述する書き込みフラグの値（すなわち、条件２用記憶手段１２１ａ〜１２１ｃに対して画像処理設定条件の設定更新処理が行われたか否か）に基づいて、画像処理を行うための条件を条件１用記憶手段１２２ａ〜１２２ｃおよび条件２用記憶手段１２１ａ〜１２２ｃに記憶された画像設定条件から選択して画像処理手段１５へ出力する。画像処理手段１５では、条件選択手段１２３から出力された画像設定条件を用いて画像処理を行い、表示装置２は画像処理手段１５からの入力により表示を行う。
【００３０】
図２は、記憶手段１２についての詳細の一例を示すブロック図である。入力ポート１０から入力された入力画像信号の制御信号（垂直・水平同期信号、クロック等）を画像検出手段１４が検出する。画像検出手段１４ではこれら制御信号から、画像形態を特定する。例えば垂直同期信号間の水平同期信号数を計数による走査線数の検出や、水平同期信号期間のクロック数を計数することによる１走査線に含まれる画像数検出を行い、画像形態を特定する。検出した結果はＭＰＵ（Micro Processing Unit）１２４に入力されて、画像処理に必要な数値が演算され、ＬＵＴ（Look Up Table）１２５へ出力される。
【００３１】
また、前記検出結果である画像形態の特定結果は、条件設定手段１２０に入力される。そして、スイッチ等外部入力１３により、使用者による画像処理設定条件の設定がされれば、設定された画像処理設定条件は、当該画像形態に対応する条件として判定され、条件２用記憶手段１２１における３つの条件２用記憶手段１２１ａ〜１２１ｃのうちの対応する画像形態のものに対し、設定された画像処理設定条件が書き込まれる。この場合、３つの画像形態毎に設けられた書き込みフラグは、条件２用記憶手段１２１への書き込みを行わない場合はLow、条件２用記憶手段１２１に書き込みを行った場合はHighとする。
【００３２】
条件選択手段１２３は画像検出手段１４が検出した結果から３つの画像形態１〜３のうちの１つを選択するとともに、書き込みフラグから、解像度、画素数に対応する条件１用記憶手段１２２に記憶されている画像処理条件(書き込みフラグがLowの場合)か、または条件２用記憶手段１２１に記憶されている画像処理条件（書き込みフラグがHighの場合）かを選択する。ＭＰＵ１２４では条件選択手段１２３で選択した画像処理条件を使用して、画像処理に必要な数値を演算してＬＵＴ１２５へ書き込む。画像処理手段１５では、ＬＵＴ１２５の値と入力された画像データを用いて、解像度変換、画像の表示位置、画像の表示範囲、拡大縮小、画像の明るさ、コントラスト、ガンマ、色調、色温度、ＯＳＤ設定等の画像処理を行う。
【００３３】
図３に本実施形態のフローチャートを示す。ここでは簡便のため、入力ポートの切り替えが行われないとし、１つの入力ポートについての処理について説明する。画像処理装置１の電源がＯＮされた後に（ステップＳ１００）、記憶手段１２は初期化を行う(ステップＳ１１０)。この初期化では少なくとも、全ての画像形態１〜３の書き込みフラグをLowとする処理を行う。画像選択手段１１はスイッチ等外部入力１３からの信号に基づき入力ポートの選択を行い、選択した入力ポートの信号を画像処理手段１５に入力する（ステップＳ１２０）。続いて、画像検出手段１４は、入力検出を行い（ステップＳ１２０）、有効な画像の入力を検出する（ステップＳ１３０）。有効な画像が入力されると、画像検出手段１４は画像情報の検出を行い画像形態を特定する（ステップＳ１４０）。
【００３４】
続いて条件選択手段１２３により画像処理条件の選択（ステップＳ１５０）が行われるが、ここで書き込みフラグを参照する（ステップＳ１５０ａ）。特定した画像形態に対応する書き込みフラグがLowの時は、条件選択手段１２３は、予め記憶されている条件１用記憶手段１２２に書き込まれている画像処理条件を読み出し（ステップＳ１５０ｂ）、書き込みフラグがHighの時は、条件２用記憶手段１２１に書き込まれている画像処理条件を読み出す（ステップＳ１５０ｃ）。また、条件選択手段１２３は、書き込みフラグによって選択した条件１用記憶手段１２２または条件２用記憶手段１２１のなかから、画像検出手段１４の検出結果（画像形態の特定結果）に基づいて３つの画像形態１〜３のうちの何れかを選択する。そして、条件選択手段１２３は、読み出した画像処理条件を画像処理手段１５に入力する。画像処理手段１５では、入力された画像処理条件を用いて選択された入力ポートから入力された画像データについての画像処理を行う（ステップＳ１６０）。スイッチ等外部入力１３により画像処理条件設定の更新があった場合には（ステップＳ１７０）、条件設定手段１２０は、画像検出手段１４の検出結果に対応する画像形態についての書き込みフラグをLowからHighに変更して（ステップＳ１８０）、条件２用記憶手段１２１に画像処理条件を書き込む（ステップＳ１９０）。条件選択手段１２３は、書き込みフラグのLowからHighへの変更により、条件２用記憶手段１２１に記憶されている画像処理設定条件のうちの画像検出手段１４の検出結果に対応する画像形態の画像処理設定条件を選択し、選択した画像処理条件を画像処理手段１５に入力する（ステップＳ１５０ａ、１５０ｃ）。画像処理手段１５では、入力された画像処理条件を用いて選択された入力ポートから入力された画像データについての画像処理を行う（ステップＳ１６０）。
【００３５】
次に、第１入力ポート１００、第２入力ポート１０１にそれぞれ別の画像形態の入力がある場合について、図４に示すタイムチャートを用いて、入力ポートの切替えと画像処理条件の更新について説明する。第１入力ポート１００には、有効な入力が常に入力されている。第２入力ポート１０１には、初期状態では入力は無く、途中から有効な画像データが入力される。
【００３６】
まず、記憶手段１２は、初期化(Ｓ２００)を行い、画像選択手段１１は、スイッチ等外部入力１３によって選択された入力ポートからの入力画像を選択する。この場合、第１入力ポート１００が選択されているとする。この時点では、第１入力ポート１００に有効な入力があるので、画像検出手段１４は、第１入力ポート１００の画像形態の検出を行う(Ｓ２１０)。このとき第１入力ポート１００に入力された画像形態を画像形態１とする。条件選択手段１２３は、画像形態検出結果と書き込みフラグの判定を行い、第１入力ポート１００に入力された画像形態１の書き込みフラグがLowであることから、画像形態１用の条件１用記憶手段１２２ａに記憶されている画像処理条件を選択し、この条件を用いて画像処理手段１５により画像処理が行われる（Ｓ２２０）。
【００３７】
その後、スイッチ等外部入力１３による操作が行われ画像条件の設定が行われると（Ｓ２３０）、条件設定手段１２０は、画像形態１用の条件２用記憶手段１２１ａに画像処理条件の書き込みを行う。このとき画像形態１の書き込みフラグはLowからHighに変わる（Ｓ２４０）。画像形態１の書き込みフラグがLowからHighに変わることは、画像形態１の条件２用記憶手段１２１ａに書き込まれた条件があることを示している。条件選択手段１２３は、画像形態１の書き込みフラグがLowからHighに変化したので、画像検出手段１４が検出した画像形態（この場合は画像形態１）のうちの、条件２用記憶手段１２１ａから画像処理条件を選択して画像処理手段１５に入力する。これにより、画像処理手段１５は、条件２用記憶手段１２１ａに新たに書き込まれた画像形態１の画像処理条件を用いて第１入力ポート１００の画像処理を行う（Ｓ２６０）。
【００３８】
第２入力ポート１０１に有効な入力があった後、スイッチ等外部入力１３の操作により第１入力ポート１００から第２入力ポート１０１への切り替えが行われたとする。これにより、画像選択手段１１は、入力ポートを第１入力ポート１００から第２入力ポート１０１に切り替える（Ｓ２６０）。この場合、第２入力ポート１０１に入力される画像の形態を画像形態２とする。第２入力ポート１０１には画像処理について使用者から設定（画像形態２に対する条件２用記憶手段１２１ｂへの書き込み）がなされていないため、画像形態２に対する書き込みフラグはLowである。画像検出手段１４は、第２入力ポート１０１の画像形態の検出を行い(Ｓ２７０)。その検出信号（この場合は画像形態２）を条件選択手段１２３に出力する。条件選択手段１２３は、画像形態２に対する書き込みフラグ（この場合はLow）および画像検出手段１４の検出信号に基づいて、画像形態２用の条件１用記憶手段１２２ａに書き込まれている画像処理条件を選択して画像処理手段１５に出力する。したがって、この場合、画像処理には画像形態２用の条件１用記憶手段１２２ａに書き込まれている画像処理条件が使用される（Ｓ２８０）。
【００３９】
その後、スイッチ等外部入力１３の操作により、第２入力ポート１０１から第１入力ポート１００への切り替えが行われたとする。これにより、画像選択手段１１は、入力ポートを第２入力ポート１０１から第１入力ポート１００に切り替える（Ｓ２９０）。画像検出手段１４は、第１入力ポート１００の画像形態の検出を行い(Ｓ３００)。その検出信号（この場合は画像形態１）を条件選択手段１２３に出力する。条件選択手段１２３は、画像形態１に対する書き込みフラグ（この場合はHigh）および画像検出手段１４の検出信号に基づいて、画像形態１用の条件２用記憶手段１２１ａに書き込まれている画像処理条件を選択して画像処理手段１５に出力する。したがって、この場合、画像処理には画像形態１用の条件２用記憶手段１２ａに書き込まれている画像処理条件が使用される（Ｓ３１０）。このように、第１入力ポート１００の画像に対しては、画像形態１の書き込みフラグがHighであることより、入力画像の形態が変更されない限り、画像形態１の条件２用記憶手段１２１ａに記憶されている画像処理条件を用いて入力ポート１の画像処理が行われる。
【００４０】
つぎに、本装置では、使い始めの電源投入、電源の再投入、リセット動作時には、画像形態ごとに予め用意された画像設定条件である条件１側を選択して画像処理を行う。また、使用者が画像処理の条件を設定した場合には、使用者からの指示設定が何回変更されても、画像形態が変わらない限り、同じ画像形態用の条件２側の記憶手段１２１の記憶領域に対して上書きを行う。これは、同じ画像形態の場合、電源がオフされない限り、最後に更新された画像処理条件が最も使用される可能性が高いと考えられるためである。
【００４１】
本方式を用いることで、画像形態１つに対して、必要な記憶容量は１種類の画像処理条件を書き込む分のみであり、頻度や時間、プログラム等で関連付けられた複数の画像処理条件を保持する従来例に比較して、記憶容量の大幅な低減が可能となる。
【００４２】
使用者による設定である条件２用記憶手段１２１としては、通電時記憶が保持されていればＤＲＡＭ、ＳＲＡＭ等を使用することができる。もちろんフラッシュメモリ等のＥＥＰＲＯＭ（Electrically Erasable Programmable Read-Only Memory、電気消去書き込み型の記憶素子、電源が遮断されても記憶内容を保持する）、ハードディスク（磁気媒体を使用して電源が遮断されても記憶内容を保持する）等の記憶媒体も使用することは可能である。しかしフラッシュメモリ等のＥＥＰＲＯＭ書き換え時のプロセスは、ＤＲＡＭ、ＳＲＡＭに比べて煩雑であり、素子の単価も高価である。ハードディスクでは単体の価格はもとより、制御用に周辺部品が必要であることから高価になる。本装置においては、電源の遮断、リセット時には条件１を使用することから、電源の遮断により条件２用の記憶内容が消去されても問題は無い。したがって、書き換えプロセスの容易さ、価格の点からＤＲＡＭ、ＳＲＡＭが好ましく、特にＳＤＲＡＭは素子単価が低く好ましい。
【００４３】
次に、本装置では、特に画像の解像度変換について、表示モードを使用することで容易な設定を可能としており、表示モードについて以下に説明する。画像処理手段１５においては、表示モードとして少なくとも入力された画素を直接表示装置２の画素に対応させる、解像度変換を行わない表示（以下スルーモードとする）、解像度変換により表示装置２による表示部分全体に表示を行い、入力画像のアスペクト比を保持しない表示（出力する垂直・水平方向それぞれの画素数に、入力された画像の垂直・水平方向をそれぞれ拡大または縮小して表示を行う、以下、全画面モードと示す）、入力画像のアスペクト比を維持して、少なくとも水平・垂直いずれか少なくとも一方が画像処理手段１５の出力する水平・垂直画素数に一致する表示（以下、変倍モードと示す）の３方式から選択を行う。
【００４４】
表示装置２と入力画像のアスペクト比が一致する場合は、全画面モード、変倍モード共に入力画像は表示装置２の表示エリアいっぱいに表示される。一方、表示装置２と入力画像のアスペクト比が一致しない場合は、図５に示すように変倍モードと全画面モードで異なる表示となる。これら３つの表示モードを選択することで、たとえ入力画像と画像処理手段１５が想定するアスペクト比が一致しなくても、少なくとも画像の表示モードの設定としてスルーモード、変倍モード、全画面モードの３つのモードを選択することにより、解像度についての設定を容易に行うことができる。これらのモードを直接選択するための３つのスイッチを設けても良い。１スイッチを押下することに前記３つの表示モードが順次切替る制御を行うスイッチであれば、１つのスイッチで３つの表示モードを切り替えることができ、スイッチの設置面積を縮小することができる。
【００４５】
このように第１の実施の形態によれば、条件２用記憶手段１２１への上書き更新がある場合には条件２を選択し、条件２用記憶手段１２への上書き更新の無い場合には、条件１を選択するよう、画像検出手段１４で特定された画像形態に対応する画像設定条件を、条件１用記憶手段１２２および条件２用記憶手段１２１から選択するようにしているので、利用者の設定による第２の条件が更新されているときに選択するようにしているので、利便性が向上するという効果を奏する。さらに、デフォルトでは、あらかじめ画像形態ごとに用意された画像設定条件である条件１が選択されることになり、初期に常に同じ画像処理条件が設定されることから、画像処理条件を再設定する作業量が低減され、利便性が向上するという効果を奏する。また、条件２用記憶手段１２１へは、画像形態ごとに設定条件を上書きしていくので、頻度や時間、プログラム等で関連付けられた複数の画像処理条件を保持する従来例と比較して必要な記憶容量が少ないという効果を奏する。
【００４６】
なお、複数の入力ポートとこれら入力ポートから入力される画像形態との対応関係が固定の場合は、入力ポート毎に条件１用および条件２用の記憶手段を設け、入力ポートの切り替えと、条件２用の記憶手段に対する更新設定処理の有無とに基づいて、対応する画像処理条件を選択するようにしてもよい。すなわち、この場合は、画像信号が入力される複数の入力ポートと、前記複数の入力ポートの切り替えを検出するポート切り替え検出手段と、あらかじめ入力ポートごとに用意された画像設定条件である第１の条件を記憶する第１の記憶手段と、使用者により設定された画像設定条件である第２の条件を入力ポートごとに記憶し、設定の変更時には第２の条件が上書き更新される第２の記憶手段と、第２の記憶手段への上書き更新がある場合には第２の条件を選択し、第２の記憶手段への上書き更新の無い場合には、第１の条件を選択するよう、前記ポート切り替え検出手段で検出された入力ポートに対応する画像設定条件を、前記第１および第２の記憶手段から選択する条件選択手段と、前記条件選択手段により選択された画像設定条件で画像処理を行う画像処理手段とを備えるようにする。そして、この場合には、第２の記憶手段への上書き更新がある場合には第２の条件を選択し、第２の記憶手段への上書き更新の無い場合には、第１の条件を選択するよう、ポート切り替え検出手段で検出された入力ポートに対応する画像設定条件を、第１および第２の記憶手段から選択するようにしているので、利用者の設定による第２の条件が更新されているときに選択するようにしているので、利便性が向上するという効果を奏する。さらに、デフォルトでは、あらかじめ入力ポートごとに用意された画像設定条件である第１の条件が選択されることになり、初期に常に同じ画像処理条件が設定されることから、画像処理条件を再設定する作業量が低減され、利便性が向上するという効果を奏する。また、第２の記憶手段へは設定条件を上書きしていくので、頻度や時間、プログラム等で関連付けられた複数の画像処理条件を保持する従来例と比較して必要な記憶容量が少ないという効果を奏する。
【００４７】
（第２の実施の形態）
図６は、本発明の第２の実施の形態を示すブロック図である。第１の実施の形態と同一の部分は説明を省略する。この場合、条件１用記憶手段１２２の画像処理条件を書き換え可能にしている。記憶素子接続端子１２６は、条件１用記憶手段１２２に書きこむ内容を記憶した外部の記憶素子４１を接続する。記憶素子接続端子１２６では、これら記憶素子４１が接続されたことを検出する端子を設定してもよい。記憶素子４１の接続を検出すると読み出し制御部１２７は、誤動作を防ぐため、スイッチ等外部入力４０により条件１用記憶手段１２２の画像処理情報の更新が設定されたときのみ読み出しを行う。読み出し制御部１２７によって、読み出された情報は書き込み制御部１２８に入力され、条件１用記憶手段１２２の画像処理条件の更新または新規書き込みが行われる。
【００４８】
本実施形態では、電源の再投入、使用を開始する時、リセットを行ったときに、あらかじめ設定された条件１用記憶手段１２２に書き込まれている画像処理条件を用いる。条件１用記憶手段１２２に書き込まれている画像処理条件は使用のたびに書き換えられる条件ではないが、必要に応じて書き換え、追加・更新の実施を行う。使用する記憶手段の例としては、フラッシュメモリ等のＥＥＰＲＯＭ、ＥＰＲＯＭ（Erasable Programmable Read-Only Memory）またはハードディスク等がある。
【００４９】
これ以外にもＲＯＭ（Read-Only Memory)を使用して、あらかじめ必要な情報を書き込み、実装しておいて、書き換えや追加・更新が必要な場合にはＲＯＭ自体を交換する方法も可能であるが、作業性を考慮すると前記書き換え可能な記憶手段を使用することが好ましい。
【００５０】
なお、本実施形態では、更新する情報は、ファイル形式で準備される。ファイル構成は、入力ポートのフォーマット毎に、対応する画像処理条件を記録するものとする。新たに規格されたフォーマットについては新規に項目が設定される。このファイルを設定するため、ソフトウェアをコンピュータ上で実行して必要に応じて設定を変更し、変更した条件をファイル形式で保存して更新に使用することにより、各使用環境に対し柔軟な対応が可能となる。ファイルの更新方法は特に制限を加えるものではない。外部ポートとして、シリアル、パラレルポート、ＵＳＢ等のポートを設け、このポート経由で更新を行うように構成しても良い。また、メモリカード等のメモリデバイス用のスロットを設置することで、これらメモリカード等経由で更新を行うように構成しても良い。
【００５１】
（第３の実施の形態）
図７は、本発明の第３の実施の形態を示すブロック図である。画像処理装置１は、第１の実施の形態または第２の実施の形態と同一であり、簡便のため主要なブロックのみを記述し、点線で囲んだ。画像処理装置１で画像処理を行った入力画像は、液晶ディスプレイ制御手段２１へ画像信号と制御信号として入力される。液晶ディスプレイ制御手段２１では、これらの信号を用いて後段の液晶ディスプレイ２０で表示を行うためのタイミング調整を行い液晶ディスプレイ２０で表示を行う。液晶ディスプレイ制御手段２１では、液晶ディスプレイ２０に表示を行うために必要な表示データの配列（液晶ディスプレイに入力するためのデータ数）、入力方法（パラレル、シリアル等）の設定や、バッファ２２を用いて液晶ディスプレイ制御手段への入力と液晶ディスプレイが表示のために必要とする信号のタイミングの差異を吸収するタイミング調整を行う。
【００５２】
本発明は、表示方法について何ら制限を加えるものではない。例を挙げれば、液晶ディスプレイのほかにＣＲＴ(Cathode Ray Tube)、ＰＤＰ(Plasma Display Panel)、ＥＬディスプレイ、電気信号の入力に応じて透過または反射光を変調する光変調素子と光源と投射型の光学系およびスクリーン等の組み合わせによるフロントまたはリヤプロジェクタを使用することができる。
【００５３】
なお、入力された画像に関連する音声信号について、画像選択手段１１は画像を選択すると同時に、選択された画像に音声情報がある場合には、この音声情報を同じく選択する。画像処理手段１１では音声についても、その音量、音質、定位、使用チャンネル数のいずれか少なくとも一つについて設定を行う。また前記条件１、条件２の画像設定条件は、これらの音声に関する設定を含む。これにより、画像の設定と同時に関係する音声についての設定を簡便化することができる。
【図面の簡単な説明】
【００５４】
【図１】本発明の第１の実施の形態における画像処理装置および表示装置のブロック図である。
【図２】本発明の第１の実施の形態における記憶手段に関する詳細ブロック図である。
【図３】本発明の第１の実施の形態を説明するためのフローチャートである。
【図４】本発明の第１の実施の形態を説明するためのタイミングチャートである。
【図５】入力画像と表示装置のアスペクト比が異なる場合の表示例を表す図である。
【図６】本発明の第２の実施の形態の画像処理条件の書き換えを説明するためのブロック図である。
【図７】本発明の第３の実施の形態の表示装置のブロック図である。
【符号の説明】
【００５５】
１  画像処理装置
２  表示装置
１０  入力ポート
１１  画像選択手段
１２  記憶手段
１３  スイッチ等外部入力
１４  画像検出手段
１５  画像処理手段
２０  液晶ディスプレイ
２１  液晶ディスプレイ制御手段
２２  バッファ
４０  スイッチ等外部入力端子
４１  記憶素子
１００  第１入力ポート
１０１  第２入力ポート
１０２  第３入力ポート
１２１  条件２用記憶手段
１２２  条件１用記憶手段
１２３  条件選択手段
１２４  ＭＰＵ
１２５  ＬＵＴ
１２６  記憶素子接続端子
１２７  読み出し制御部
１２８  書き込み制御部
【図１】
2007251821.tif 000003
【図２】
2007251821.tif 000004
【図３】
2007251821.tif 000005
【図４】
2007251821.tif 000006
【図５】
2007251821.tif 000007
【図６】
2007251821.tif 000008
【図７】
2007251821.tif 000009